【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
複数の図柄が表示された複数のリールと、
前記リールの各々に対応した複数の停止手段と、
当選役を決定する役決定手段と、
前記停止手段の操作に応じて、前記リールの変動を停止させるリール制御手段と、を有し、
演出状態として、通常演出状態と、前記通常演出状態よりも遊技者にとって有利な特定演出状態と、を有し、
前記特定演出状態は、前記役決定手段により特定役が決定された遊技において前記停止手段の停止操作順序を報知する演出状態であり、
前記役決定手段により所定の再遊技役が決定された遊技において、
前記停止手段が第１の操作順序で操作された場合には第１の図柄の組み合わせを停止表示可能に制御し、前記第１の図柄の組合せが停止表示されたときに、所定のライン上に特定の図柄の組み合わせが停止表示され、
前記停止手段が前記第１の操作順序とは異なる第２の操作順序で操作された場合には第２の図柄の組み合わせを停止表示可能に制御し、前記第２の図柄組合せが停止表示されたときに、前記所定のライン上に前記特定の図柄の組み合わせが停止表示されず、
前記役決定手段により前記特定役が決定された遊技において、
前記停止手段が前記第１の操作順序で操作され、且つ、所定のリールに対応した前記停止手段が特定のタイミングで操作された場合は、前記特定の図柄の組み合わせとは異なる図柄の組み合わせであって、遊技者に付与する利益が前記特定の図柄の組み合わせが停止表示されたときよりも小さくなる特殊の図柄の組み合わせを停止表示可能に制御し、
前記停止手段が前記第１の操作順序で操作され、且つ、前記所定のリールに対応した前記停止手段が前記特定のタイミングとは異なるタイミングで操作された場合は、遊技者に利益を付与しないハズレの図柄の組み合わせを停止表示可能に制御し、
前記停止手段が前記第２の操作順序で操作された場合には、前記特定の図柄の組み合わせを停止表示可能に制御し、
前記役決定手段により前記所定の再遊技役が決定された遊技において、
前記特定演出状態に制御されているときに、前記第２の操作順序で前記停止手段を操作することを促す報知を実行可能に構成され、
前記通常演出状態に制御されているときに、前記第２の操作順序で前記停止手段が操作された場合には警告報知を行うことを特徴とする遊技機。
【手続補正２】
【補正対象書類名】明細書
【補正対象項目名】０００１
【補正方法】変更
【補正の内容】
【０００１】
本発明は、遊技者に有利な特定演出状態を備える遊技機に関する。
【手続補正３】
【補正対象書類名】明細書
【補正対象項目名】０００４
【補正方法】変更
【補正の内容】
【０００４】
しかしながら、メイン制御手段の遊技状態を変化させずに、特定演出状態と、この特定演出状態とは異なる通常演出状態とを切り替えて演出を実行しても、役抽選手段により決定される役の当選確率が同一であるため、遊技に変化を持たせることができないという課題があった。
【手続補正４】
【補正対象書類名】明細書
【補正対象項目名】０００５
【補正方法】変更
【補正の内容】
【０００５】
本発明はこのような課題に鑑みてなされたものであり、メイン制御手段の遊技状態を変化させずに、特定演出状態と、この特定演出状態とは異なる通常演出状態とを切り替えて演出を実行することにより、遊技に変化を持たせることができる遊技機を提供することを目的とする。
【手続補正５】
【補正対象書類名】明細書
【補正対象項目名】０００６
【補正方法】変更
【補正の内容】
【０００６】
前記課題を解決するために、本発明に係る遊技機は、複数の図柄が表示された複数のリールと、前記リールの各々に対応した複数の停止手段と、当選役を決定する役決定手段と、前記停止手段の操作に応じて、前記リールの変動を停止させるリール制御手段と、を有し、演出状態として、通常演出状態と、前記通常演出状態よりも遊技者にとって有利な特定演出状態と、を有し、前記特定演出状態は、前記役決定手段により特定役が決定された遊技において前記停止手段の停止操作順序を報知する演出状態であり、前記役決定手段により所定の再遊技役が決定された遊技において、前記停止手段が第１の操作順序で操作された場合には第１の図柄の組み合わせを停止表示可能に制御し、前記第１の図柄の組合せが停止表示されたときに、所定のライン上に特定の図柄の組み合わせが停止表示され、前記停止手段が前記第１の操作順序とは異なる第２の操作順序で操作された場合には第２の図柄の組み合わせを停止表示可能に制御し、前記第２の図柄組合せが停止表示されたときに、前記所定のライン上に前記特定の図柄の組み合わせが停止表示されず、前記役決定手段により前記特定役が決定された遊技において、前記停止手段が前記第１の操作順序で操作され、且つ、所定のリールに対応した前記停止手段が特定のタイミングで操作された場合は、前記特定の図柄の組み合わせとは異なる図柄の組み合わせであって、遊技者に付与する利益が前記特定の図柄の組み合わせが停止表示されたときよりも小さくなる特殊の図柄の組み合わせを停止表示可能に制御し、前記停止手段が前記第１の操作順序で操作され、且つ、前記所定のリールに対応した前記停止手段が前記特定のタイミングとは異なるタイミングで操作された場合は、遊技者に利益を付与しないハズレの図柄の組み合わせを停止表示可能に制御し、前記停止手段が前記第２の操作順序で操作された場合には、前記特定の図柄の組み合わせを停止表示可能に制御し、前記役決定手段により前記所定の再遊技役が決定された遊技において、
前記特定演出状態に制御されているときに、前記第２の操作順序で前記停止手段を操作することを促す報知を実行可能に構成され、前記通常演出状態に制御されているときに、前記第２の操作順序で前記停止手段が操作された場合には警告報知を行うことを特徴とする。
【手続補正６】
【補正対象書類名】明細書
【補正対象項目名】０００７
【補正方法】変更
【補正の内容】
【０００７】
このような本発明に係る遊技機の変形例として、複数の図柄が表示された複数の表示領域を変動表示させる変動表示手段と、特定役を含む複数の役であって、各々に前記図柄の組み合わせが対応付けられた役の中から当選役を決定する役決定手段と、変動表示されている前記複数の表示領域の各々を停止させるための操作を受け付ける複数の停止手段と、前記停止手段の操作に応じて、前記変動表示手段の前記表示領域の変動表示を停止させる変動表示制御手段と、第１の演出状態 及び第２の演出状態を含む複数の演出状態の中から何れか一つの演出状態を選択して演出を行う演出制御手段と、を有し、前記変動表示制御手段は、前記役決定手段により前記当選役として前記特定役が決定されたときは、前記停止手段が第１の操作態様で操作されたときは、前記変動表示手段の前記表示領域に第１の図柄の組み合わせを停止させ、前記停止手段が第２の操作態様で操作されたときは、前記変動表示手段の前記表示領域に第２の図柄の組み合わせを停止させるように構成され、前記演出制御手段は、第１の条件を満たしたときに、前記第１の演出状態において、第１の遊技数の遊技を実行し、前記第１の演出状態にあるときに前記役決定手段により前記当選役として前記特定役が決定されたときは前記第２の操作態様を報知し、また、第２の条件を満たしたときに前記演出状態を前記第２の演出状態に切り替え、前記第２の演出状態に移行すると決定された遊技において、前記第２の演出状態での遊技数及び当該遊技数の遊技が終了したときに前記第２の演出状態の遊技を継続するか否かの決定を含む継続抽選をした後、前記遊技数の間、前記第２の演出状態の遊技を実行して当該遊技毎に前記第１の演出状態の残りの遊技数に加算するための上乗せ遊技数を決定し、前記遊技数の遊技が終了する遊技において、前記第２の演出状態の遊技を継続すると決定されているときは、前記継続抽選を実行して前記第２の演出状態の遊技を繰り返し、前記遊技数の遊技が終了する遊技において、前記第２の演出状態の遊技を継続しないと決定されているときは、前記上乗せ遊技数の合計を前記第１の演出状態の前記残り遊技数に加算するとともに、前記演出状態を前記第１の演出状態に切り替えるように構成することができる。
このような本発明に係る遊技機によると、第１の条件を満たす（例えば、高確演出状態Ｄ３の遊技において抽選に当選する）と、第１の演出状態（ＡＲＴ演出状態Ｄ４）の遊技が実行されるが、この第１の演出状態の遊技において第２の条件を満たす（例えば、メイン制御手段で上乗せ遊技の実行が決定される）と、特定の期間（上乗せ演出状態Ｄ５の期間）で、毎遊技、上乗せする遊技数の抽選が行われるため、遊技者に対して、連続した期待感を与えることができる。
【手続補正７】
【補正対象書類名】明細書
【補正対象項目名】０００８
【補正方法】変更
【補正の内容】
【０００８】
このような本発明に係る遊技機の変形例として、前記演出制御手段は、前記第２の演出状態の前記遊技数の遊技が終了する遊技であって、前記第２の演出状態の遊技を継続しないと決定されている遊技において、第３の条件を満たしたときは、前記第２の演出状態を継続すると決定し、前記継続抽選を実行して前記第２の演出状態の遊技を繰り返すように構成することができる。
【手続補正８】
【補正対象書類名】明細書
【補正対象項目名】０００９
【補正方法】変更
【補正の内容】
【０００９】
また、このような本発明に係る遊技機の変形例として、前記演出制御手段は、前記第２の演出状態の遊技において、前記第２の演出状態を継続しないと決定されている場合に、第４の条件を満たしたときは、前記第２の演出状態を継続するか否かを決定するように構成することができる。
【手続補正９】
【補正対象書類名】明細書
【補正対象項目名】００１１
【補正方法】変更
【補正の内容】
【００１１】
また、このような本発明に係る遊技機の変形例として、前記演出制御手段は、前記第２の演出状態の前記遊技数の遊技において、第５の条件を満たしたときに、当該遊技以降の遊技において、遊技毎に前記上乗せ遊技数を複数回決定するように構成することができる。
【手続補正１０】
【補正対象書類名】明細書
【補正対象項目名】００１２
【補正方法】変更
【補正の内容】
【００１２】
また、このような本発明に係る遊技機の変形例として、前記演出制御手段は、前記上乗せ遊技数が決定される毎に、当該上乗せ遊技数を報知するように構成することができる。
【手続補正１１】
【補正対象書類名】明細書
【補正対象項目名】００１３
【補正方法】変更
【補正の内容】
【００１３】
また、このような本発明に係る遊技機の変形例として、前記演出制御手段は、前記複数の停止手段のいずれかの操作に応じて前記上乗せ遊技数を報知するように構成することができる。
【手続補正１２】
【補正対象書類名】明細書
【補正対象項目名】００１５
【補正方法】変更
【補正の内容】
【００１５】
また、このような本発明に係る遊技機の変形例として、前記演出制御手段は、前記継続抽選が行われたときに、当該継続抽選の結果を報知するように構成することができる。
【手続補正１３】
【補正対象書類名】明細書
【補正対象項目名】００１６
【補正方法】変更
【補正の内容】
【００１６】
また、このような本発明に係る遊技機の変形例として、前記演出制御手段は、前記継続抽選が行われたときに、当該継続抽選の結果のうち、前記遊技数だけを報知し、前記遊技数の前記第２の演出状態が終了するときに、前記継続するか否かの決定を報知するように構成することができる。
【手続補正１４】
【補正対象書類名】明細書
【補正対象項目名】００１８
【補正方法】変更
【補正の内容】
【００１８】
本発明に係る遊技機を以上のように構成すると、メイン制御手段の遊技状態を変化させずに、特定演出状態と、この特定演出状態とは異なる通常演出状態とを切り替えて演出を実行することにより、遊技に変化を持たせることができる。
【手続補正１５】
【補正対象書類名】明細書
【補正対象項目名】００３５
【補正方法】変更
【補正の内容】
【００３５】
ここで、上述した小役１（ベル）は、２０の小役１Ａ〜小役１Ｔから構成されている。この小役１Ａ〜小役１Ｔは、図５に示すようにそれぞれの図柄の組み合わせが異なるように構成されている。なお、この小役１Ａ〜小役１Ｔに対しては、図１０に示すように、これらの小役１Ａ〜小役１Ｔを組み合わせた（重複当選されるように構成された）４つの当選役（小役１−１〜小役１−４）が割り当てられている。この図１０において、当選役の括弧内は、小役１−１〜小役１−４に割り当てられた小役１Ａ〜小役１Ｔを示し、例えば、当選役として小役１−１が当選したときは、小役１Ａ、小役１Ｂ、小役１Ｃ、小役１Ｅ、小役１Ｆ、小役１Ｉ、小役１Ｊ、小役１Ｍ、小役１Ｎ、小役１Ｑ及び小役１Ｒが重複して当選することを示している。そして、小役１−１〜小役１−４に対して、ストップボタン３３ａ〜３３ｃの押し順が割り当てられている。以下、リール制御手段１２０による停止制御の例として小役１−１が当選した場合を、押し順毎に説明する。
【手続補正１６】
【補正対象書類名】明細書
【補正対象項目名】００４８
【補正方法】変更
【補正の内容】
【００４８】
また、上述のリプレイの当選役のうち、リプレイ２〜リプレイ４に対しては、ストップボタン３３ａ〜３３ｃの押し順が割り当てられている。例えば、リール制御手段１２０は、リプレイ２が当選したときに、ストップボタン３３ａ〜３３ｃが順押しされると、その操作タイミングに応じて、上記のように重複して当選するリプレイＢ〜リプレイＦの中から、いずれか一つの図柄の組み合わせを中段ライン（すなわち、有効ライン上）に揃えるように構成されており、これにより、上段ライン、又は右斜め下がりのライン（無効ライン）にベルの図柄の組み合わせ（特定小役である小役１Ａの図柄の組み合わせ）が揃うことになる。すなわち、変動表示手段であるリール２１ａ〜２１ｃの表示窓１１から見える表示領域に停止した図柄の中の少なくとも一つの直線上に、特定小役（小役１Ａ）の図柄の組み合わせが含まれる。また、リール制御手段１２０は、リプレイ２が当選したときに、ストップボタン３３ａ〜３３ｃが変則押しされると、中段ライン（有効ライン）にリプレイの図柄が揃う、すなわち、リプレイＡの図柄の組み合わせを停止させるように構成されている。同様に、リール制御手段１２０は、リプレイ３が当選したときに、ストップボタン３３ａ〜３３ｃが順押しされたときは中段ラインにリプレイの図柄を停止させ、変則押しされたときは中段ラインに赤７の図柄を揃えることができるときは、赤７が揃うように停止させ、揃えることができないときはリプレイの図柄を停止させる。また、リール制御手段１２０は、リプレイ４が当選したときに、ストップボタン３３ａ〜３３ｃが順押しされたときは中段ラインにリプレイの図柄を停止させ、変則押しされたときは下段ラインにリプレイの図柄が揃うように停止させる。